(57)【要約】 【課題】  基底となる管電圧を制御する場合であっても、高精度かつ再現性を有する複数種類の管電圧をＸ線管へ印加することが可能なＸ線ＣＴ装置を提供する。【解決手段】  Ｘ線ＣＴ装置は、電源部、第１及び第２のインバータ、第１及び第２の変圧器、第１及び第２の整流器、Ｘ線管、第１及び第２のデバイダ、第１及び第２のインバータ制御部を具備する。第１及び第２のインバータは、電源部からの直流電圧を第１及び第２の交流電圧にそれぞれ変換する。第１及び第２の交流電圧は、第１及び第２の変圧器と第１及び第２の整流器とにより、第１及び第２の直流高電圧にそれぞれ変換される。第１のインバータ制御部は、第１のデバイダで分圧された第１の分圧電圧に基づいて第１のインバータを制御する。第２のインバータ制御部は、第２のデバイダで分圧された第２の分圧電圧と第１の分圧電圧とに基づいて第２のインバータを制御する。【選択図】図２
2014059972.tif 000002
【特許請求の範囲】
【請求項１】
電源部と、
前記電源部から供給される直流電圧を第１の交流電圧に変換する第１のインバータと、
前記第１の交流電圧を第１の交流高電圧に昇圧する第１の変圧器と、
前記第１の交流高電圧を第１の直流高電圧に変換する第１の整流器と、
前記電源部から供給される直流電圧を第２の交流電圧に変換する第２のインバータと、
前記第２の交流電圧を第２の交流高電圧に昇圧する第２の変圧器と、
前記第２の交流高電圧を第２の直流高電圧に変換する第２の整流器と、
前記第１の直流高電圧に前記第２の直流高電圧が付加される管電圧を利用して被検体にＸ線を曝射するＸ線管と、
前記第１の直流高電圧から第１の分圧電圧を分圧する第１のデバイダと、
前記第１の分圧電圧に基づいて、前記第１のインバータに対して前記第１の交流電圧の電圧値を制御する第１のインバータ制御部と、
前記管電圧から第２の分圧電圧を分圧する第２のデバイダと、
前記第２の分圧電圧と前記第１の分圧電圧との差分電圧に基づいて、前記第２のインバータに対して前記第２の交流電圧の電圧値を制御する第２のインバータ制御部と
を具備することを特徴とするＸ線ＣＴ装置。
【請求項２】
前記第１のインバータ制御部は、前記第１の分圧電圧が、予め設定された第１の目標電圧と一致するように、前記第１のインバータを制御し、
前記第２のインバータ制御部は、前記差分電圧が、予め設定された第２の目標電圧と一致するように、前記第２のインバータを制御することを特徴とする請求項１記載のＸ線ＣＴ装置。
【請求項３】
前記Ｘ線管のインピーダンスを制御するＸ線管制御部をさらに具備することを特徴とする請求項１又は２に記載のＸ線ＣＴ装置。
【発明の詳細な説明】
【技術分野】
【０００１】
本発明の実施形態は、Ｘ線コンピュータ断層撮像装置（Ｘ線ＣＴ装置）に関する。
【背景技術】
【０００２】
例えば、Ｘ線ＣＴ装置において、複数の出力電圧を切り替え、それぞれの出力電圧により発生されたＸ線のエネルギー特性の差を利用して被検体の診断を行うデュアルエネルギー撮像と呼ばれる手法がある。このデュアルエネルギー撮像を実施可能な従来のＸ線ＣＴ装置では、高電圧発生装置は、例えば、高低２種類の管電圧を高速に切り替えてＸ線管へそれぞれ印加する。Ｘ線管は、被検体の周りを回転しながら、印加された管電圧により発生するＸ線を被検体へ曝射する。
【０００３】
従来の高電圧発生装置では、管電圧を高速で切り替える手法として、複数の高圧トランスと、複数のインバータとを用いる手法がある。高電圧発生装置は、第１のインバータ及び第１の高圧トランスにより発生し、かつ、基準の管電圧となる第１の管電圧に対して、その他のインバータ及びその他の高圧トランスにより発生させたその他の高電圧を合成することで、複数種類の管電圧を発生する。このとき、高電圧発生装置は、第１の管電圧へのその他の高電圧の付加を高速で切り替えることで、複数種類の管電圧を高速に切り替えて発生する。また、従来の高電圧発生装置は、Ｘ線管に印加される管電圧をデバイダにより分担して検出する。そして、高電圧発生装置は、検出した管電圧の電圧値に基づき、第１の管電圧及びその他の高電圧の電圧値に対してフィードバック制御をかけることで、複数種類の管電圧を安定してＸ線管へ印加するようにしている。ところで、被爆を低減させるために第１の管電圧を制御しようとする場合、管電圧をデバイダにより分担して検出する方法では、高圧トランスによる高電圧の発生を適切に制御することは困難であった。
【発明の概要】
【発明が解決しようとする課題】
【０００４】
以上のように、従来のＸ線ＣＴ装置では、基底となる管電圧を制御しようとする場合、高圧トランスによる高電圧の発生を適切に制御することが困難であるという問題がある。特に、デュアルエネルギー撮像法では、Ｘ線の線質を決める２種類の管電圧を、高精度に、かつ、再現性を有してＸ線管へ印加することが求められている。
【０００５】
そこで目的は、基底となる管電圧を制御する場合であっても、高精度かつ再現性を有する複数種類の管電圧を、Ｘ線管へ印加することが可能な高電圧発生装置を備えたＸ線ＣＴ装置を提供することにある。
【課題を解決するための手段】
【０００６】
実施形態によれば、Ｘ線ＣＴ装置は、電源部、第１及び第２のインバータ、第１及び第２の変圧器、第１及び第２の整流器、Ｘ線管、第１及び第２のデバイダ、第１及び第２のインバータ制御部を具備する。第１のインバータは、前記電源部から供給される直流電圧を第１の交流電圧に変換する。第１の変圧器は、前記第１の交流電圧を第１の交流高電圧に昇圧する。第１の整流器は、前記第１の交流高電圧を第１の直流高電圧に変換する。第２のインバータは、前記電源部から供給される直流電圧を第２の交流電圧に変換する。第２の変圧器は、前記第２の交流電圧を第２の交流高電圧に昇圧する。第２の整流器は、前記第２の交流高電圧を第２の直流高電圧に変換する。Ｘ線管は、前記第１の直流高電圧に前記第２の直流高電圧が付加される管電圧を利用して被検体にＸ線を曝射する。第１のデバイダは、前記第１の直流高電圧から第１の分圧電圧を分圧する。第１のインバータ制御部は、前記第１の分圧電圧に基づいて、前記第１のインバータに対して前記第１の交流電圧の電圧値を制御する。第２のデバイダは、前記管電圧から第２の分圧電圧を分圧する。第２のインバータ制御部は、前記第２の分圧電圧と前記第１の分圧電圧との差分電圧に基づいて、前記第２のインバータに対して前記第２の交流電圧の電圧値を制御する。
【図面の簡単な説明】
【０００７】
【図１】本実施形態に係るＸ線ＣＴ装置の機能構成を示すブロック図である。
【図２】図１に示す高電圧発生装置の機能構成を示すブロック図である。
【図３】図２に示す第１のデバイダの構成例を示す模式図である。
【発明を実施するための形態】
【０００８】
以下、実施の形態について、図面を参照して説明する。
【０００９】
図１は、本実施形態に係るＸ線ＣＴ装置１０の機能構成を示すブロック図である。図１に示すＸ線ＣＴ装置１０は、架台１１及び情報処理部１２を備える。
【００１０】
架台１１は、被検体Ｐに関する投影データを収集するために構成されたものである。架台１１は、スリップリング１１１、架台駆動部１１２、Ｘ線管装置１１３、Ｘ線検出器１１５、回転フレーム１１６、データ収集部１１７、非接触データ伝送装置１１８及び高電圧発生装置１１９を備える。
【００１１】
情報処理部１２は、架台１１におけるデータ収集動作の制御、及び、架台１１において収集されたデータに所定の処理を施すことで、Ｘ線ＣＴ画像及びこれを用いた各種臨床情報を生成する。情報処理部１２は、前処理部１２２、メモリ部１２３、再構成部１２４、画像処理部１２５、記憶部１２６、制御部１２８、表示部１２９、入力部１２１０、送受信部１２１１、Ｘ線制御部１２１２及びスキャンプラン設定部１２１３を備える。
【００１２】
架台駆動部１１２は、回転フレーム１１６を回転駆動する。この回転駆動により、Ｘ線管装置１１３とＸ線検出器１１５とが対向しながら、被検体Ｐの体軸を中心に螺旋状に回転することになる。
【００１３】
Ｘ線管装置１１３は、Ｘ線を発生する真空管であり、回転フレーム１１６に設けられている。当該Ｘ線管装置１１３には、Ｘ線の曝射に必要な電力（管電流、管電圧）が高電圧発生装置１１９から供給される。
【００１４】
図２は、本実施形態に係る高電圧発生装置１１９の機能構成を示すブロック図である。図２に示す高電圧発生装置１１９は、電源部２１、第１のインバータ２２、第２のインバータ２３、第１の高圧トランス部２４、第２の高圧トランス部２５、第１のデバイダ２６、第２のデバイダ２７、第１のインバータ制御部２８及び第２のインバータ制御部２９を備える。
【００１５】
電源部２１は、第１及び第２のインバータ２２，２３へ直流電力（直流電流、直流電圧）を供給する。
【００１６】
第１のインバータ２２は、電源部２１から供給される直流電圧を、第１のインバータ制御部２８からの制御に応じた電圧値及び周波数を有する第１の交流電圧へ変換する。つまり、第１の交流電圧の電圧値は、第１のインバータ制御部２８からの制御により変化することとなる。第１のインバータ２２は、第１の交流電圧を第１の高圧トランス部２４へ出力する。
【００１７】
第１のインバータ２２が、例えば、直流電圧に対してパルス幅変調（ＰＷＭ：Pulse Width Modulation）を施すことにより、第１の交流電圧へ変換する場合には、第１のインバータ２２は、第１のインバータ制御部２８からの制御に応じて、自装置内に設けられるスイッチをオン／オフし、供給される直流電圧を用いてパルス信号を生成する。第１のインバータ２２は、スイッチをオン／オフすることにより、パルス発生区間／パルス周期で表わされる「デューティ比」を変化させる。第１のインバータ２２は、生成したパルス信号のデューティ比に応じた周波数及び電圧値を有する第１の交流電圧を生成する。
【００１８】
第２のインバータ２３は、電源部２１から供給される直流電圧を、第２のインバータ制御部２９からの制御に応じた電圧値及び周波数を有する第２の交流電圧へ変換する。つまり、第２の交流電圧の電圧値は、第２のインバータ制御部２９からの制御により変化することとなる。第２のインバータ２３は、第２の交流電圧を第２の高圧トランス部２５へ出力する。
【００１９】
第１の高圧トランス部２４は、変圧器２４１及び整流器２４２を備える。
【００２０】
変圧器２４１は、第１のインバータ２２から供給される第１の交流電圧を昇圧し、第１の交流高電圧へ変換する。変圧器２４１は、変換した第１の交流高電圧を整流器２４２へ出力する。整流器２４２は、変圧器２４１から供給される第１の交流高電圧を、第１の直流高電圧へ変換する。整流器２４２は、変換した第１の直流高電圧を第２の高圧トランス部２５へ出力する。
【００２１】
第２の高圧トランス部２５は、変圧器２５１及び整流器２５２を備える。
【００２２】
変圧器２５１は、第２のインバータ２３から供給される第２の交流電圧を昇圧し、第２の交流高電圧へ変換する。変圧器２５１は、変換した第２の交流高電圧を整流器２５２へ出力する。整流器２５２は、変圧器２５１から供給される第２の交流高電圧を、第２の直流高電圧へ変換する。第２の高圧トランス部２５は、制御部１２８からの切替制御に従い、第１の高圧トランス部２４から供給される第１の直流高電圧を、第１の管電圧としてＸ線管球１１３へ印加するか、整流器２５２で変換した第２の直流高電圧を、第１の直流高電圧に合成し、第２の管電圧としてＸ線管装置１１３へ印加するかを切り替える。このように、Ｘ線管装置１１３には、第１又は第２の管電圧が印加される。
【００２３】
第１のデバイダ２６は、第１の高圧トランス部２４の出力端子とグランドとの間に設置され、第１の高圧トランス部２４から出力される第１の直流高電圧を分圧する。第１のデバイダ２６は、第１の直流高電圧から分圧した第１の分圧電圧を第１及び第２のインバータ制御部２８，２９へ出力する。
【００２４】
図３は、本実施形態に係る第１のデバイダ２６の構成例を示す模式図である。第１のデバイダ２６は、直列に接続された抵抗器である。第１のデバイダ２６は、例えば、１００，０００：１０の割合で第１の高圧トランス部２４から供給される第１の直流高電圧を分圧する。例えば、第１の高圧トランス部２４から供給される第１の直流高電圧が７５ｋＶである場合、第１の分圧電圧は７．５Ｖとなる。なお、この分圧の割合は電圧の計測等に使用し易い値に分圧するものであれば他の値でもよく、使用環境に合わせて設定することが好ましい。
【００２５】
第２のデバイダ２７は、第２の高圧トランス部２５の出力端子とグランドとの間に設置され、第２の高圧トランス部２５から出力される第１の直流高電圧に第２の直流高電圧を加えた電圧を分圧し、第２の分圧電圧を取り出す。第２のデバイダ２７は、第２の分圧電圧を第２のインバータ制御部２９へ出力する。
【００２６】
第１のインバータ制御部２８は、第１のデバイダ２６から供給される第１の分圧電圧と、予め記録される第１の目標電圧とを比較する。第１の目標電圧とは、第１の管電圧（つまり、第１の直流高電圧）が予め設定された電圧値となるように設定された、第１の分圧電圧の目標電圧である。第１のインバータ制御部２８は、第１の分圧電圧が第１の目標電圧と一致するように、第１のインバータ２２で生成される第１の交流電圧の電圧値を制御する。
【００２７】
第１のインバータ２２が例えば、電源部２１から供給される直流電圧に対してパルス幅変調を施すことで第１の交流電圧を生成する場合には、第１のインバータ制御部２８は、第１の分圧電圧と第１の目標電圧との差に応じて、第１のインバータ２２に設けられるスイッチのオン／オフを切り替えるように制御する。具体的には、第１の分圧電圧が第１の目標電圧よりも低い場合、第１のインバータ制御部２８は、パルス信号のパルス発生区間を広げるように第１のインバータ２２のスイッチのオン／オフを制御する。これにより、第１のインバータ２２から出力される第１の交流電圧の電圧値が増加し、第１の分圧電圧が第１の目標電圧と一致することとなる。また、第１の分圧電圧が第１の目標電圧よりも高い場合、第１のインバータ制御部２８は、パルス信号のパルス発生区間を狭めるように第１のインバータ２２のスイッチのオン／オフを制御する。これにより、第２のインバータ２２から出力される第１の交流電圧の電圧値が減少し、第１の分圧電圧が第１の目標電圧と一致することとなる。
【００２８】
第２のインバータ制御部２９は、第２のデバイダ２７から供給される第２の分圧電圧と、第１のデバイダ２６から供給される第１の分圧電圧との差分を取る。第２のインバータ制御部２９は、第２の分圧電圧と第１の分圧電圧との差分電圧と、予め記録される第２の目標電圧とを比較する。第２の目標電圧とは、第２の管電圧が予め設定された電圧値となるように設定された、差分電圧の目標電圧である。第２のインバータ制御部２９は、差分電圧が第２の目標電圧と一致するように、第２のインバータ２３で生成される第２の交流電圧の電圧値を制御する。
【００２９】
第２のインバータ２３が例えば、電源部２１から供給される直流電圧に対してパルス幅変調を施すことで第２の交流電圧を生成する場合には、第２のインバータ制御部２９は、差分電圧と第２の目標電圧との差に応じて、第２のインバータ２３に設けられるスイッチのオン／オフを切り替えるように制御する。具体的には、差分電圧が第２の目標電圧よりも低い場合、第２のインバータ制御部２９は、パルス発生区間を広げるように第２のインバータ２３のスイッチのオン／オフを制御する。これにより、第２のインバータ２３から出力される第２の交流電圧の電圧値が増加し、差分電圧が第２の目標電圧と一致することとなる。また、差分電圧が第２の目標電圧よりも高い場合、第２のインバータ制御部２９は、パルス発生区間を狭めるように第２のインバータ２３のスイッチのオン／オフを制御する。これにより、第２のインバータ２３から出力される第２の交流電圧の電圧値が減少し、差分電圧が第２の目標電圧と一致することとなる。
【００３０】
Ｘ線管装置１１３は、高電圧発生装置１１９から供給された第１又は第２の管電圧により電子を加速させ、加速させた電子をターゲットに衝突させることで、有効視野領域ＦＯＶ内に載置された被検体Ｐに対してＸ線を曝射する。
【００３１】
また、Ｘ線管装置１１３は、Ｘ線制御部１２１２からの指示に応じて、インピーダンスを変動させる。Ｘ線管装置１１３のインピーダンスが変化することで、被検体Ｐに曝射するＸ線の電力が変化することとなる。例えば、Ｘ線管装置１１３がインピーダンスを増大させると、被検体Ｐに曝射するＸ線の電力が低減することとなり、その結果、被検体ＰへのＸ線の被爆量が低減することとなる。
【００３２】
Ｘ線検出器１１５は、被検体を透過したＸ線を検出する検出器システムであり、Ｘ線管装置１１３に対向する向きで回転フレーム１１６に取り付けられている。当該Ｘ線検出器１１５は、シングルスライスタイプ又はマルチスライスタイプの検出器であり、シンチレータとフォトダイオードとの組み合わせで構成される複数の検出素子が、それぞれのタイプに応じて一次元的又は二次元的に配列されている。
【００３３】
回転フレーム１１６は、Ｚ軸を中心として回転駆動されるリングであり、Ｘ線管装置１１３とＸ線検出器１１５とを搭載している。この回転フレーム１１６の中央部分は開口されており、この開口部に、寝台（図示せず）上に載置された被検体Ｐが挿入される。
【００３４】
データ収集部１１７は、一般的にＤＡＳ（Data Acquisition System）と呼ばれ、Ｘ線検出器１１５からチャンネル毎に出力される信号を電圧信号に変換し、増幅し、さらにディジタル信号に変換する。このデータ（生データ）は、非接触データ伝送装置１１８を介して情報処理部１２に取り込まれる。
【００３５】
前処理部１２２は、非接触データ伝送装置１１８を介してデータ収集部１１７から生データを受け取り、感度補正やＸ線強度補正を実行する。各種補正を受けた３６０度分の生データは、記憶部１２６に一旦記憶される。なお、当該前処理部１２２によって前処理が施された生データは、「投影データ」と呼ばれる。
【００３６】
再構成部１２４は、複数種類の再構成法を装備し、操作者から選択された再構成法により画像データを再構成する。複数種類の再構成法には、例えば、ファンビーム再構成法（ファンビーム・コンボリューション・バックプロジェクション法ともいう）、再構成面に対して投影レイが斜めに交差する場合の再構成法として、コーン角が小さいことを前提として畳み込みの際にはファン投影ビームとみなして処理し、逆投影はスキャンの際のレイに沿って処理する近似的画像再構成法としてのフェルドカンプ法、フェルドカンプ法よりもコーン角エラーを抑える方法として再構成面に対するレイの角度に応じて投影データを補正するコーンビーム再構成法等が含まれる。
【００３７】
画像処理部１２５は、再構成部１２４により生成された再構成画像データに対して、ウィンドウ変換、ＲＧＢ処理等の表示のための画像処理を行い、表示部１２９に出力する。また、画像処理部１２５は、オペレータの指示に基づき、任意断面の断層像、任意方向からの投影像、３次元表面画像等のいわゆる疑似３次元画像の生成を行い、表示部１２９に出力する。
【００３８】
記憶部１２６は、生データ、投影データ、スキャノグラムデータ、断層像データ等の画像データや、検査計画のためのプログラム等を記憶する。
【００３９】
表示部１２９は、画像処理部１２５から供給されるコンピュータ断層画像、スキャノグラム像等のＣＴ画像を表示する出力装置である。ここで、ＣＴ値とは、物質のＸ線吸収係数を、基準物質（例えば、水）からの相対値として表したものである。
【００４０】
入力部１２１０は、キーボードや各種スイッチ、マウス等を備え、オペレータを介してスライス厚やスライス数等の各種スキャン条件を入力可能な装置である。
【００４１】
送受信部１２１１は、ネットワークＮを介して、例えば、他の医用装置とＤＩＣＯＭ規格に準拠した通信を行い、画像データ、患者情報等を送受信する。
【００４２】
スキャンプラン設定部１２１３は、入力部１２１０からの入力指示、診療科からのオーダ情報、初期条件及び過去の情報等に従って、撮影条件、撮影範囲、画像条件のうちの少なくとも一つを含む撮影計画（スキャンプラン）を設定する。
【００４３】
Ｘ線制御部１２１２は、架台駆動部１１２による回転フレーム１１６の回転角度を検出し、検出した回転角度に基づいてＸ線管装置１１３及びＸ線検出器１１５と、被検体Ｐとの位置関係を把握する。Ｘ線制御部１２１２は、例えば、被検体Ｐが高さ方向よりも幅方向に長さのある楕円形状の断面を有することを予め想定している。Ｘ線制御部１２１２は、幅方向からＸ線を曝射する場合には、管電流が高くなるように、また、高さ方向からＸ線を曝射する場合には、管電流が低くなるように、Ｘ線管球のインピーダンスをビュー角に応じて制御する。これにより、高さ方向からＸ線を曝射する際には、幅方向からＸ線を曝射する際に比して、Ｘ線の電力が減少することとなる。
【００４４】
制御部１２８は、スキャン処理、信号処理、画像生成処理及び画像表示処理等において、Ｘ線ＣＴ装置１０におけるＸ線ＣＴ画像の撮像処理の統括的な制御を行う。例えば、制御部１２８は、スキャン処理においては、個別データに含まれる患者ＩＤ及びスライス厚等によってスキャン条件を設定し、当該スキャン条件に基づいて、高電圧発生装置１１９、寝台駆動部１２、及び寝台天板の体軸方向への送り量、送り速度、Ｘ線管装置１１３及びＸ線検出器１１５の回転速度、回転ピッチ、及びＸ線の曝射タイミング等を制御し、被検体の所望の撮像領域に対して多方向からＸ線コーンビーム又はＸ線ファンビームを曝射させ、Ｘ線ＣＴ画像のデータ収集（スキャン）処理を行う。
【００４５】
また、制御部１２８は、高低２種類のエネルギー特性を利用した撮像を１回のスキャンで実施できるように、所定の周期で第２の高圧トランス部２５の出力を切り替えるように、高電圧発生装置１１９に対して切替制御を実施する。なお、第２の高圧トランス部２５が第１及び第２の管電圧を切り替える周期は、高低２種類のエネルギー特性を利用した撮像を１回のスキャンで実施できるならば、どのような周期でも構わない。
【００４６】
以上のように、上記実施形態では、高電圧発生装置１１９は、第１の高圧トランス部２４の出力端子とグランドとの間に第１のデバイダ２６を有し、第１のデバイダ２６により、第１の直流高電圧から第１の分圧電圧を検出する。また、高電圧発生装置１１９は、第２の高圧トランス部２５の出力端子とグランドとの間に第２のデバイダ２７を有し、第２のデバイダにより、第１の直流高電圧に第２の直流高電圧を加えた電圧から第２の分圧電圧を検出する。そして、高電圧発生装置１１９は、第１のインバータ制御部２８により、第１の分圧電圧が第１の目標電圧に一致するように第１のインバータ２２を制御する。また、高電圧発生装置１１９は、第２のインバータ制御部２９により、第２の分圧電圧と第１の分圧電圧との差分電圧が第２の目標電圧に一致するように第２のインバータ２３を制御する。これにより、高電圧発生装置１１９は、基底となる管電圧を制御する場合であっても、第１及び第２の管電圧を予め設定された電圧値で安定させることが可能となる。
【００４７】
したがって、本実施形態に係るＸ線ＣＴ装置１０によれば、基底となる管電圧を制御する場合であっても、高精度かつ再現性を有する第１及び第２の管電圧を、Ｘ線管装置１１３へ印加することが可能な高電圧発生装置を具備することになる。また、本実施形態に係るＸ線ＣＴ装置１０によれば、基底となる管電圧を制御しながら、デュアルエネルギー撮像を実現することができる。
【００４８】
また、上記実施形態では、Ｘ線制御部１２１２は、Ｘ線管装置１１３のインピーダンスを患者の体型に合わせて制御することで、Ｘ線管装置１１３に供給される電力を制御する。第１のインバータ制御部２８は、Ｘ線管装置１１３のインピーダンスが変化する場合であっても、第１の分圧電圧が第１の目標電圧に一致するように第１のインバータ２２を制御する。同じく、第２のインバータ制御部２９は、Ｘ線管装置１１３のインピーダンスが変化する場合であっても、第２の分圧電圧と第１の分圧電圧との差分電圧が第２の目標電圧に一致するように第２のインバータ２３を制御する。これにより、Ｘ線ＣＴ装置１０は、Ｘ線管装置１１３に供給される電力を変化させることで患者の被曝低減を図りつつ、第１及び第２の管電圧を予め設定された電圧値で安定させることが可能となる。
【００４９】
また、上記実施形態では、高電圧発生装置１１９は、第１のインバータ２２、第１の高圧トランス部２４、第２のインバータ２３及び第２の高圧トランス部２５を備えることで、第１及び第２の管電圧を生成する場合を例に説明したが、これに限定される訳ではない。例えば、２種類以上の管電圧を生成し、生成した管電圧をＸ線管球へ供給するようにしても構わない。このとき、高電圧発生装置１１９は、第３のインバータ及び第３の高圧トランス部等をさらに備える。
【００５０】
また、上記実施形態では、上述の高電圧発生装置を備えるＸ線ＣＴ装置を例に説明したが、これに限定される訳ではない。例えば、Ｘ線診断装置が上述のような高電圧発生装置を備えていても構わない。
【００５１】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５２】
１０…Ｘ線ＣＴ装置、１１…架台、１１１…スリップリング、１１２…架台駆動部、１１３…Ｘ線管装置、１１５…Ｘ線検出器、１１６…回転フレーム、１１７…データ収集部、１１８…非接触データ伝送装置、１１９…高電圧発生装置、１２…情報処理部、１２２…前処理部、１２３…メモリ部、１２４…再構成部、１２５…画像処理部、１２６…記憶部、１２８…制御部、１２９…表示部、１２１０…入力部、１２１１…送受信部、１２１２…Ｘ線制御部、１２１３…スキャンプラン設定部、２１…電源部、２２…第１のインバータ、２３…第２のインバータ、２４…第１の高圧トランス部、２４１…変圧器、２４２…整流器、２５…第２の高圧トランス部、２５１…変圧器、２５２…整流器、２６…第１のデバイダ、２７…第２のデバイダ、２８…第１のインバータ制御部、２９…第２のインバータ制御
【図１】
2014059972.tif 000003
【図２】
2014059972.tif 000004
【図３】
2014059972.tif 000005